(57)【要約】      （修正有）【課題】非定常的な有効信号による影響をできるだけ小さくしつつ定常的な妨害騒音を抑制することができる、補聴器の作動方法を提供する。【解決手段】方法２０は、補聴器内で周囲の音響信号から第１指向性信号８ｆと第２指向性信号８ｒが発生させられ、第１指向性信号と第２指向性信号に基づいて、第１指向性信号と第２指向性信号の第１適応ブロック３０のための第１適応係数α１が妨害騒音抑制のために第１応答時間ｔ１によって決定する。また、第１指向性信号と第２指向性信号に基づいて、第１指向性信号と第２指向性信号の第２適応ブロック３２のための第２適応係数α２が妨害騒音抑制のために第２応答時間ｔ２によって決定され、第１適応係数と第２適応係数に基づいて、出力適応係数α−ｏｕｔが出力信号４２を求めるために第１指向性信号と第２指向性信号の重ね合わせによって決定する。【選択図】図２
2018186500.tif 000002
【特許請求の範囲】
【請求項１】
補聴器内で周囲の音響信号（２２）から第１指向性信号（８ｆ）と第２指向性信号（８ｒ）が発生させられ、
前記第１指向性信号（８ｆ）と前記第２指向性信号（８ｒ）に基づいて、前記第１指向性信号（８ｆ）と前記第２指向性信号（８ｒ）の第１重ね合わせ（３０）のための第１適応係数（α１）が妨害騒音抑制のために第１応答時間（ｔ１）によって決定され、
前記第１指向性信号（８ｆ）と前記第２指向性信号（８ｒ）に基づいて、前記第１指向性信号（８ｆ）と前記第２指向性信号（８ｒ）の第２重ね合わせ（３２）のための第２適応係数（α２）が妨害騒音抑制のために第２応答時間（ｔ２）によって決定され、
前記第１適応係数（α１）と前記第２適応係数（α２）に基づいて、出力適応係数（α−ｏｕｔ）が出力信号（４２）を求めるために前記第１指向性信号（８ｆ）と前記第２指向性信号（８ｒ）の重ね合わせによって決定される、
補聴器を作動させるための方法（２０）。
【請求項２】
前記第２応答時間（ｔ２）が前記第１応答時間（ｔ１）よりも長いことを特徴とする請求項１に記載の方法（２０）。
【請求項３】
前記第２応答時間（ｔ２）が前記第２適応係数（α２）を決定するために、前記第１指向性信号（８ｆ）と前記第２指向性信号（８ｒ）に依存して決定されることを特徴とする請求項１または２に記載の方法（２０）。
【請求項４】
前記第２応答時間（ｔ２）が前記第２適応係数（α２）を決定するために、前記第１指向性信号（８ｆ）についての信号出力と基本雑音出力との差に基づいておよび／または前記第２指向性信号（８ｒ）についての信号出力と基本雑音出力との差に基づいて決定されることを特徴とする請求項３に記載の方法（２０）。
【請求項５】
前記出力信号（４２）の信号出力のための目標値が設定され、前記出力信号（４２）の信号出力が前記目標値から最小偏差を有するように、前記出力適応係数（α−ｏｕｔ）が決定されることを特徴とする請求項１〜４のいずれか一項に記載の方法（２０）。
【請求項６】
前記出力適応係数（α−ｏｕｔ）の瞬間値が、前記第１適応係数（α１）と前記第２適応係数（α２）の線形結合によって求められることを特徴とする請求項１〜５のいずれか一項に記載の方法（２０）。
【請求項７】
前記補聴器（２）において前記音響信号（２２）から第１マイクロホン（２４ａ）によって第１マイクロホン信号（２６ａ）が発生させられ、かつ第２マイクロホン（２４ｂ）によって第２マイクロホン信号（２６ｂ）が発生させられ、前記第１指向性信号（８ｆ）および／または前記第２指向性信号（８ｒ）が前記第１マイクロホン信号（２６ａ）と前記第２マイクロホン信号（２６ｂ）に基づいて発生させられることを特徴とする請求項１〜６のいずれか一項に記載の方法（２０）。
【請求項８】
前記第１指向性信号（８ｆ）および／または前記第２指向性信号（８ｒ）が前記第１マイクロホン信号（２６ａ）と前記第２マイクロホン信号（２６ｂ）の時間遅延式重ね合わせに基づいて発生させられることを特徴とする請求項７に記載の方法（２０）。
【請求項９】
前記第１指向性信号（８ｆ）が第１方向（６）に向けられた第１のカーディオイド形曲線の形をした方向依存性を有し、および／または前記第２指向性信号（８ｒ）が第２方向（１０）に向けられた第２のカーディオイド形曲線の形をした方向依存性を有することを特徴とする請求項８に記載の方法（２０）。
【請求項１０】
前記第１方向（６）が前記第２方向（１０）に対して反対向きであることを特徴とする請求項９に記載の方法（２０）。
【請求項１１】
第１指向性信号（８ｆ）と第２指向性信号（８ｒ）を発生するための第１マイクロホン（２４ａ）および第２マイクロホン（２４ｂ）と、請求項１〜１０のいずれか一項に記載の方法（２０）を実施するように設計された制御ユニットとを備えた補聴器（２）。
【発明の詳細な説明】
【技術分野】
【０００１】
本発明は、補聴器内で周囲の音響信号から第１指向性信号と第２指向性信号が発生させられ、第１指向性信号と第２指向性信号に基づいて、第１指向性信号と第２指向性信号の重ね合わせのための適応係数が妨害騒音抑制のために決定され、出力信号が第１指向性信号と第２指向性信号の重ね合わせによって求められる、補聴器を作動させるための方法に関する。
【背景技術】
【０００２】
補聴器において、非常に多く発生する問題の一つが、所定の聴取状況について信号対雑音比（ＳＮＲ）を改善することである。これはしばしば指向性信号処理アルゴリズムによって達成される。この場合往々にして、補聴器に入る周囲の音響信号内に、強く局所限定された有効信号成分、例えば話し相手の話し合い発言の形の有効信号成分が存在していると仮定している。この有効信号成分は、雑音信号として仮定された背景に対して、補聴器内で指向性信号によって区別される。しかし、雑音信号は大きな指向性を有し得る。その際一般的に、上記のアルゴリズムはしばしば自己最適化を用いる。この場合、最大貢献方向からの妨害信号の影響が最小限に抑えられるように、指向性信号の指向特性が適応させられる。これは通常は、対応する指向性信号の信号出力の最小限化によって行われる。
【０００３】
適応係数を１つだけ有する第１オーダーの差動指向性マイクロホンにおいてしばしば、前方に向いたカーディオイド形曲線と後方に向いたカーディオイド形曲線を線形結合することによって指向性出力信号が達成される。その際、指向特性の変化は適応係数を介して達成可能である。この適応係数は後方に向いたカーディオイド形曲線の寄与を決定する。これにより、補聴器の前方向に関して広い空間角度範囲内にある妨害騒音源の寄与を低減することができる。これはしかし、前方向に位置し、従って後ろ向きのカーディオイド形曲線の「ノッチ」内に位置する妨害騒音源については当てはまらない。
【０００４】
後側の半球内に位置する定常的な妨害騒音源と、前側の半球内の（後ろ向きのカーディオイド形曲線の「ノッチ」の外側の）同時に存在する非定常的な有効信号源について、アルゴリズムは聴取状況に指向性信号を適応させるために、信号出力に対する両音響源の異なる寄与を考慮しなければならない。その際、有効信号源の非定常的な信号が十分に高いＳＮＲを有すると、適応係数は有効信号の信号出力と共に変化する。しかし、これにより、定常的な妨害騒音の減衰が影響を受けるので、本来の定常的な妨害騒音は、非定常的な有効信号の存在に依存して変動する騒音として出力信号に含まれる（コモデュレイティング:co-modulating）。その際、有効信号が言語信号であると、これによって言語の質のほかに、言語の理解が影響を受ける。
【発明の概要】
【発明が解決しようとする課題】
【０００５】
そこで、本発明の根底をなす課題は、非定常的な有効信号による影響をできるだけ小さくしつつ定常的な妨害騒音を抑制することができる、補聴器を作動させるための方法を提供することである。
【課題を解決するための手段】
【０００６】
この課題は本発明に従い、補聴器内で周囲の音響信号から第１指向性信号と第２指向性信号が発生させられ、第１指向性信号と第２指向性信号に基づいて、第１指向性信号と第２指向性信号の第１重ね合わせのための第１適応係数が妨害騒音抑制のために第１応答時間によって決定され、第１指向性信号と第２指向性信号に基づいて、第１指向性信号と第２指向性信号の第２重ね合わせのための第２適応係数が妨害騒音抑制のために第２応答時間によって決定される、補聴器を作動させるための方法によって解決される。この場合、第１適応係数と第２適応係数に基づいて、出力適応係数が出力信号を求めるために第１指向性信号と第２指向性信号の重ね合わせによって決定される。有利で、一部はそれ自体発明的である実施形は、従属請求項と以下の記載の対象である。
【０００７】
この場合、第１指向性信号または第２指向性信号とは特に、変化しない音圧、従って一定の音量を有する所定の試験音響信号に関して、試験音響信号の音源の方向に依存する感度を有する電気信号であると理解される。これは特に、試験音響信号が第１または第２の指向性信号内で最大信号レベルになる空間方向が存在することと、試験音響信号が対応する指向性信号内で最小信号レベルになる少なくとも１つの他の空間方向が存在することを意味する。この場合、第１指向性信号の最大と最小の感度の空間方向は、第２指向性信号のそれぞれ最大と最小の感度の空間方向と異なっている。その際、第１指向性信号と第２指向性信号の最大感度と最小感度の方向が互いに鏡像対称的に配置され、それによって第１指向性信号の最大感度の方向が第２指向性信号の最小感度の方向と重なっていて逆向きであるように、第１指向性信号と第２指向性信号が形成されると有利である。第１指向性信号および／または第２指向性信号の最小感度の方向で音響信号が完全に抑制され、それによって第１および／または第２指向性信号内で、それぞれ最小感度の方向からの音響信号がレベルに寄与しないと特に有利である。
【０００８】
この場合、式Ｆ＋α・Ｂの第１重ね合わせおよび／または第２重ね合わせが有利である。ここで、ＦとＢは第１指向性信号または第２指向性信号を表し、αは第１適応係数または第２適応係数を表す。従って、第１適応係数または第２適応係数は第１重ね合わせまたは第２重ね合わせにおける第２指向性信号の割合の程度を示す。この場合、第１適応係数と第２適応係数の決定は所定の時間間隔をおいて繰り返される。それによって、第１適応係数または第２適応係数はそれぞれ更新される。その際、この更新のための時間間隔は第１応答時間または第２応答時間によって表現される。その結果特に、所定の時点で始まる音響信号の変化が、応答時間による次の更新の際に初めて、その都度の適応係数に作用し得ることになる。
【０００９】
この場合、第１適応係数は、第１指向性信号と第２指向性信号の第１重ね合わせによって、妨害騒音、特に非定常的な妨害騒音がきわめて効果的に抑制されるように決定される。そのために、有効信号の音源が第１指向性信号の最大感度の方向にあると仮定される。他の空間方向から補聴器に達する妨害騒音、特に非定常的な妨害騒音は、第２指向性信号の指向特性が第１指向性信号と異なるため、第１重ね合わせによって抑制することができる。
【００１０】
その際、第１指向性信号の最大感度の方向が第２指向性信号の最小感度の方向と重なる場合には、第１指向性信号の最大感度の方向からではない妨害騒音のできるだけ効率的な抑制のための判断基準として、特に第１重ね合わせによって生じる信号の最小の全出力を用いることができる。第２重ね合わせについても同じことが当てはまる。その際、補聴器を規定どおりに装着する場合、第１指向性信号の最大感度の方向が補聴器の使用者の正面方向に位置すると有利である。
【００１１】
第１応答時間は、第１適応係数による第１重ね合わせが非定常的な妨害騒音に対して十分迅速に応答し、それによって第１適応係数がこの妨害騒音の抑制に非常に適するように選定することができる。第２応答時間の適切な選定により、第２適応係数による第２重ね合わせが特に定常的な妨害騒音を抑制し一方、第２重ね合わせがかなりの非定常的な妨害騒音に対してゆっくり応答することができる。そのために、第２応答時間は設定された倍数だけ第１応答時間よりも長く選定可能であるかまたは第１と第２の指向性信号に依存して動的に決定することが可能である。この場合特に、第１と第２の指向性信号に基づいて、かなりの非定常的な妨害騒音成分の存在が認められるときに、この非定常的な妨害騒音成分の終了まで第２適応係数の更新が中断されるケースが含まれる。従って、第２応答時間は非定常妨害騒音成分の時間に左右させられる。
【００１２】
この場合特に、第１重ね合わせと第２重ね合わせは、何らかの方法で補聴器内でさらに処理されその都度出力される信号を発生することなく、第１適応係数と第２適応係数を応答時間によって決定するように形成されている。補聴器内の信号処理のための、さらに使用されるこのような信号はしかし、出力適応係数に基づいて、第１指向性信号と第２指向性信号の重ね合わせによって求められる出力信号である。この場合、出力適応係数は第１適応係数と第２適応係数に基づいて次のように求められる。すなわち、出力適応係数に従った重ね合わせから生じる出力信号が一方では第１適応係数の少なくとも間接的な依存性のために、非定常的な妨害騒音成分の十分な抑制を有するように求められる。この場合、第２適応係数の少なくとも間接的な依存性によって、定常的な妨害騒音成分のコモデュレイティング（co-modulating）が低下する。
【００１３】
その際、第１重ね合わせが非定常的な妨害騒音成分を最適に抑制するように、第１適応係数が決定されると、第１適応係数からの出力適応係数の偏差によって、非定常的な妨害騒音成分に関して最適ではない抑制が甘受される。その際、第２適応係数の割り当て分のために出力適応係数で減少した、定常的な妨害騒音成分のコモデュレイティング（co-modulating）によって、すなわち特に第１適応係数によって行われる、非定常的な妨害騒音成分の抑制中の背景雑音の低下した発生によって、ＳＮＲの改善が達成される。それによって、全体として聴取感度と特に言語理解性が改善される。
【００１４】
第２応答時間が第１応答時間よりも長いと有利である。特に、第２応答時間は第１応答時間の少なくとも２倍以上の長さである。これにより、音響信号内の非定常的な妨害騒音において、先ず最初に第１適応係数が適合させられる。その際第２応答時間が動的に決定される場合には、第２応答時間と第１応答時間の間に生じる差により、このような動的適合の必要な信号処理プロセスのために十分な時間がある。第２応答時間が動的に決定されないで、静的に一定に設定されている場合には、第２応答時間は特に、第１応答時間の４〜６４倍の長さとすることができる。
【００１５】
第２応答時間が第２適応係数を決定するために、第１指向性信号と第２指向性信号に依存して決定されると有利である。これは特に、第１指向性信号と第２指向性信号に基づいて、周囲の音響信号内の非定常的な妨害信号成分の存在が決定され、第２応答時間がこのような妨害騒音成分の存在に依存して調節されることを意味する。その際特に、非定常的な妨害騒音成分の存在が確認される場合、第２応答時間はこの妨害騒音成分の決定された終わりに動的に調節される。これは特に、先ず最初に上記の妨害騒音成分の存在が確認される場合、妨害騒音成分の終わりが第１指向性信号と第２指向性信号に基づいて決定されるまで、第２適応係数の更新が中断されることを意味する。そして初めて、第２適応係数の更新が再び開始される。これにより、第２適応係数が非定常的な妨害騒音成分によって影響を受けず、第２重ね合わせが実質的に定常的な妨害騒音の抑制のためにのみ有効であることが保証される。第２適応係数の更新が中断される間、特に、新たな更新まで、最後の実際の値を、第２適応係数のためにさらに使用することができる。
【００１６】
この場合、第２応答時間が第２適応係数を決定するために、第１指向性信号についての信号出力と基本雑音出力との差に基づいておよび／または第２指向性信号についての信号出力と基本雑音出力との差に基づいて決定されると有利であることが判った。その際、第１または第２の指向性信号の基本雑音出力とは特に、別個の推定プロセスで決定された基本雑音の信号出力であると理解される。そのために特に、基本雑音がほぼ定常的であると見なされるので、関連する時間目盛りの範囲内で、非定常的な妨害騒音成分はその都度の基本雑音に対してあまり寄与しない。この場合、非定常的な妨害騒音は信号出力に対して大きく寄与するが、両指向性信号の一方の基本雑音出力に対しては寄与しない。さらに、第１指向性信号についての信号出力と基本雑音出力との差を、第２指向性信号についての信号出力と基本雑音出力との差と比較することにより、非定常的な寄与が受け入れた有効信号、すなわち例えば使用者の正面方向の話し相手の言語信号であるかあるいは側方の非定常的な妨害騒音であるかどうかを確認することができる。
【００１７】
本発明の有利な実施形では、出力信号の信号出力のための目標値が設定され、出力信号の実際の信号出力が目標値から最小偏差を有するように、出力適応係数が決定される。その際特に、出力適応係数の決定は反復して行うことができる。第１適応係数が第１重ね合わせから生じる信号の最小信号出力に基づいて決定される場合については、第１重ね合わせは、所定の時点で存在する、定常的または非定常的な性質の妨害騒音に関して、最適であると解釈可能である。この意味で、第１適応係数とは異なる適応係数に基づく、第１指向性信号と第２指向性信号の重ね合わせは、もはや最適ではない。この場合第１適応係数と第２適応係数に基づく出力適応係数の決定のための決定論的に実施可能な判断基準を示すために、しかるべき重ね合わせから生じる出力信号の信号出力について、目標値をこのような判断基準として設定することが提案される。その際特に、目標値は、信号出力の上記の最小値に対する、第１と第２の重ね合わせまたは設定されたレベル間隔からの信号出力の一定の比になっている。その際、設定されたレベル間隔は例えば２〜３ｄＢである。これにより、第１と第２の適応係数が既に決定されているときには、出力適応係数は第１と第２の適応係数に基づいて次のように調節可能である。すなわち、設定された値の範囲内で目標値が達成不可能である場合、出力信号の信号出力が目標値に一致するかまたはこの目標値から最小偏差を有するように調節可能である。
【００１８】
出力適応係数の瞬間値が、第１適応係数と第２適応係数の線形結合によって求められると有利である。この場合特に、中高の線形結合であると理解されるので、使用される両線形ファクタが１に加算され、両方共正の符号を有する。簡単な線形結合は計算上きわめて簡単に実施可能である。これは出力信号を発生するための信号処理の際の時間的費用を低減し、ＳＮＲの改善要求の範囲内で十分に良好な結果をもたらす。
【００１９】
補聴器において音響信号から第１マイクロホンによって第１マイクロホン信号が発生させられ、かつ第２マイクロホンによって第２マイクロホン信号が発生させられ、第１指向性信号および／または第２指向性信号が第１マイクロホン信号と第２マイクロホン信号に基づいて発生させられると有利である。ここで、第１マイクロホンまたは第２マイクロホンとは一般的に、音響信号から電気信号を発生するように設計された電気音響式変換器であると理解される。この場合特に、第１指向性信号および／または第２指向性信号はそれぞれ、第１マイクロホン信号と第２マイクロホン信号から求められる。多くの補聴器システム、さらには両耳性の補聴器システムでは、しばしば２個のみのマイクロホンが局所的に存在するので、指向性信号が補聴器において局所的に２つのマイクロホン信号から形成される。両耳性補聴器システムの場合続いて、指向作用を改善するために、局所的な指向性信号の更なる処理が行われる。２つだけのマイクロホン信号が補聴器内で局所的に存在する場合について、提案された方法は、非定常的な妨害騒音のきわめて効果的な抑制と同時に、定常的な背景雑音の低減をもたらす。
【００２０】
この場合、第１指向性信号および／または第２指向性信号が第１マイクロホン信号と第２マイクロホン信号の時間遅延式重ね合わせに基づいて発生させられると有利である。この場合、重ね合わせでの時間遅延のために、第１マイクロホンと第２マイクロホンの間の音響的な経過時間が用いられると有利である。これはきわめて簡単に実施可能であり、そして基本となるマイクロホン信号が指向性マイクロホンから由来するものであるときには、指向性信号の発生のための効果的な方法である。
【００２１】
第１指向性信号が第１方向に向けられたカーディオイド形曲線の形をした方向依存性を有し、および／または第２指向性信号が第２方向に向けられたカーディオイド形曲線の形をした方向依存性を有すると有利である。カーディオイド形曲線状の信号は、最小感度の方向が最大感度の方向と反対向きであるという利点がある。これは例えば、指向特性がスーパーカーディオイド形曲線またはハイパーカーディオイド形曲線を形成する信号については当てはまらない。さらに、最小感度の方向からの音響信号は、理想的な場合にはカーディオイド形曲線状の指向特性の場合完全に抑制される。従って、最大感度の方向と最小感度の方向の対称は、妨害騒音を抑制する第１と第２の重ね合わせのための計算をきわめて簡単にする。というのは、最小感度の方向から最大感度の方向へ、感度のきわめて単調な増大が生じるからである。この場合、第１方向が第２方向と反対向きであると特に有利である。
【００２２】
カーディオイド形曲線状の指向特性を有する指向性信号において、最小感度の方向からの音響信号が理想的な場合完全に抑制されるという背景では、第１と第２の適応係数の計算をさらに簡単化することができる。というのは、第１指向性信号が有効信号源に向けられた基準として見なすことができるからであり、そしてこの場合、カーディオイド形曲線状の第２指向性信号が第１指向性信号とは反対に向いているときには、第２指向性信号による妨害騒音抑制が有効信号の寄与に対して影響を及ぼさない。従って、できるだけ効率的な妨害騒音抑制のための第１と第２の適応係数を決定するために、第１と第２の重ね合わせから生じる信号は最小信号出力でよく、有効信号の寄与に影響を及ぼさない。
【００２３】
本発明はさらに、第１指向性信号と第２指向性信号を発生するための第１マイクロホンおよび第２マイクロホンと、上記の方法を実施するように設計された制御ユニットとを備えた補聴器に関する。その際、方法とその発展形態について記載した利点は同様に補聴器に転記することができる。
【００２４】
次に、図に基づいて本発明の実施の形態を詳しく説明する。
【図面の簡単な説明】
【００２５】
【図１】補聴器内での２つの指向性信号の重ね合わせによる、方向づけられた妨害信号の減衰を示す平面図である。
【図２】補聴器内で、方向づけられた妨害信号を減衰するための方法の経過を示すブロック図である。
【発明を実施するための形態】
【００２６】
すべての図において互いに一致する部分とサイズにはそれぞれ、同じ参照符号がつけてある。
【００２７】
図１には、補聴器２の使用者１が平面図で概略的に示してある。その際、使用者１は話し相手４と話し合っている状況にある。話し相手は使用者１に関してその正面方向６に位置している。補聴器２内で、詳しく示していない方法で、第１指向性信号８ｆ（破線）と第２指向性信号８ｒ（点線）が形成される。この信号の指向特性はそれぞれカーディオイド形曲線によって表されている。第１指向性信号８ｆのカーディオイド形曲線状の指向特性により、正面方向６からの音響信号に関して最大感度が存在し、従ってこの方向からの音響信号が第１指向性信号８ｆに最も多く含まれる一方、正面方向６に対して反対向きの後ろの方向１０からの音響信号は理想的には第１指向性信号８ｆで完全に抑制されることになる。第２指向性信号８ｒが第１指向性信号８ｆに対して反対向きの指向性を有するので、後ろの方向１０からの音響信号が第２指向性信号８ｒに最も多く含まれる一方、正面方向６からの音響信号は理想的には完全に抑制される。
【００２８】
正面方向６からではない妨害騒音１２ａ、１２ｂ、１２ｃは補聴器２内で、第１指向性信号８ｆと第２指向性信号８ｒとの、式Ｆ＋α・Ｂの重ね合わせによって、減衰することができる。ここで、ＦとＢは第１または第２指向性信号８ｆ、８ｒであり、αは適切に選択される適応係数である。この場合、有効信号源、すなわち話し相手４が正面方向６の信号源と見なされ、よって第２指向性信号８ｒ内でのこの有効信号源の寄与は完全に抑制され、従って第１指向性信号８ｆによってのみ、重ね合わせから生じる信号Ｆ＋α・Ｂに取り込まれる。それによって、第２指向性信号８ｒの寄与は、合成信号が最小の信号レベルを有するように、合成信号において適応係数を介して適合すべきである。なぜなら、特にαの変化の際に不変である、正面方向６からの有効信号の寄与のため、正面方向６からではない信号成分の減衰が最大であることが（上述のように）保証されるからである。
【００２９】
妨害騒音１２ａについては、これが簡単な選択α＝０によって達成されるので、この場合、合成信号は第１指向性信号８ｆに等しく、妨害騒音１２ａはこの場合完全に抑制される。妨害騒音１２ｂ、１２ｃについては、αの自明ではない選定が必要である。妨害騒音１２ｂについてのαの寄与は、妨害騒音１２ｃの抑制の場合よりも小さく選定すべきである。なぜなら、妨害騒音１２ｂについては、非常に強い減衰が第１指向性信号８ｆによって既に達成され、従って第２指向性信号８ｒによって、使用者２の前側の半球から出て第１指向性信号８ｆに多く含まれる妨害騒音１２ｃの場合よりも小さな適合しか必要としないからである。
【００３０】
妨害騒音１２ｂ、１２ｃの一方が非定常的に発生すると、すなわち例えば話し言葉の場合にしばしば起こるような、いかなる信号アクティビティのない時間インターバルに続いて大きな信号寄与の時間インターバルが発生すると、これは適応係数αの変動を生じることになる。妨害騒音１２ｂ、１２ｃの効果的な抑制を保証するためには、適応係数αを十分に短い時間間隔で更新すべきである。両妨害騒音１２ｂ、１２ｃの一方、例えば１２ｃが、きわめて非定常的な状態を有し、他方の妨害騒音１２ｂがほぼ定常的であるかまたはその逆であるかあるいはそれに加えて定常的な基本雑音が存在する場合には、妨害騒音１２ｃのレベルの変動に基づく適応係数αの変動により、妨害騒音１２ｃのアクティビティに依存して定常的な妨害騒音１２ｂおよび／または定常的な基本騒音が重ね合わせによって生じる信号に多少取り込まれることになる。非定常的な妨害騒音１２ｃに加えて定常的な背景雑音のみが存在する場合には、妨害騒音１２ｃが活動的であるときにのみ、自明でない重ね合わせが行われることになる。それによって、合成信号は第２指向性信号８ｒの定常的な妨害信号成分によって雑音を増大し、これによりＳＮＲが悪化する。
【００３１】
この問題は図２のブロック図に示した方法２０によって阻止される。補聴器２内で、周囲の音響信号２２から第１マイクロホン２４ａによって第１マイクロホン信号２６ａが発生し、第２マイクロホン２４ｂによって第２マイクロホン信号２６ｂが発生する。この場合、一方では第２マイクロホン信号２６ｂが時間インターバルＴだけ遅延されるので、これによって時間的に遅延した第２マイクロホン信号２８ｂが形成される。この第２マイクロホン信号２６ｂが第１マイクロホン信号２６ａから差し引かれるので、これにより第１指向性信号８ｆが形成される。これと同様に、第１マイクロホン信号２６ａは時間インターバルＴだけ遅延され、これによって時間的に遅延した第１マイクロホン信号２８ａが形成される。この第１マイクロホン信号２６ａが第２マイクロホン信号２６ｂから差し引かれるので、これにより第２指向性信号８ｒが形成される。この場合、第１指向性信号８ｆと第２指向性信号８ｒはそれぞれ図１にかかるカーディオイド形曲線状の指向特性を有する。
【００３２】
第１適応ブロック３０において、第１応答時間ｔ１によって、第１指向性信号８ｆと第２指向性信号８ｒに基づき、第１指向性信号８ｆと第２指向性信号８ｒの適当な重ね合わせのための第１適応係数α１が決定される。この場合、第１応答時間ｔ１は好ましくは、適当な重ね合わせＦ＋α１・Ｂによって音響信号２２内の非定常的な妨害騒音がきわめて効率的に抑制されるように、第１適応ブロックが第１適応係数α１を決定するよう選定すべきである。これは特に、応答時間ｔ１に関してこのような重ね合わせから生じる信号が最小の信号出力を有することによって達成される。
【００３３】
第２適応ブロック３２において、第１指向性信号８ｆと第２指向性信号８ｒに基づいて、第２応答時間ｔ２によって、第１指向性信号８ｆと第２指向性信号８ｒの適当な重ね合わせのための第２適応係数α２が決定される。その際、本ケースでは、第２応答時間ｔ２は少なくとも第１応答時間ｔ１の少なくとも２倍の大きさである。その結果、第２適応ブロック３２は音響信号２２の変化に対して第１適応ブロック３０よりもゆっくり応答し、従って第１適応ブロック３０と比較して定常的な妨害騒音を重ね合わせＦ＋α２・Ｂによって抑制するように設計されている。すなわち、音響信号２２内のかなり多い非定常妨害騒音成分については、突然発生する妨害騒音成分が第１適応ブロック３０にかかる適応によって既に抑制され一方、第２適応ブロック３２にかかる適応が第２適応係数α２において長い第２応答時間ｔ２のために妨害騒音成分を全く考慮しないことが生じ得る。しかし、ほとんど定常的な妨害騒音は第２適応ブロック３２によって十分に考慮される。
【００３４】
さらに、保持ブロック３４において、第１指向性信号８ｆと第２指向性信号８ｒに基づいて、保持信号３６が発生させられる。この保持信号は、音響信号２２内に非定常的な妨害騒音成分が存在する場合に、第２適応係数α２の更新を完全に停止する。これは、保持ブロック３４において第１または第２の指向性信号８ｆ、８ｒ内に非定常的な妨害騒音成分が認められるときに、第２適応係数α２の値がもはやそれ以上変化せず、停止時点の値にとどまることを意味する。その後は、第１適応係数α１だけがさらに非定常的な妨害騒音成分に依存して更新される。保持ブロック３４において、たいした非定常的な妨害騒音成分がもはや存在しないことが認められると、再続行信号３８が第２適応ブロック３２に出力される。第２適応ブロック３２では、第２適応係数α２が再び第２応答時間ｔ２によって更新される。
【００３５】
その際、音響信号２２内に非定常的な妨害騒音成分が存在するかどうか、すなわち保持信号３６または再続行信号３８が出力されるかどうかの保持ブロック３４での決定は特に、信号出力を基本雑音出力と比較することによって、それぞれ第１指向性信号８ｆと第２指向性信号８ｒにおいて行われる。例えば第２指向性信号８ｒにおいて、入力部出力と基本雑音出力の間に小さな差しか存在せず一方、第１指向性信号８ｆに関して入力部出力と基本雑音出力の間に大きな差が存在すると、第１指向性信号８ｆに相当する前方に向いたカーディオイド形曲線の範囲内に、方向づけられた非定常的な妨害騒音が存在する。この場合、対応する非定常的な妨害騒音がもはや確認されなくなるまで、第２適応ブロック３２における第２適応係数α２の更新が保持信号３６を出すことによって一時的に停止される。
【００３６】
第１適応係数α１と第２適応係数α２の線形結合４０によって、出力適応係数α−ｏｕｔが求められる。出力信号４２は第１指向性信号８ｆと第２指向性信号８ｒから、式Ｆ＋α−ｏｕｔ・Ｂの重ね合わせによって求められる。その際、線形結合４０は次式
α−ｏｕｔ＝α１・ｗ＋α２・（１−ｗ）
によって表される。この場合、パラメータｗを決定するために、出力信号４２の信号出力の目標値が設定される。この目標値は例えば、第１適応係数α１との重ね合わせから生じる出力信号を有し、それによって最小である出力部出力の値よりも３ｄＢだけ高い。従って、出力信号４２の信号出力の目標値は境界条件を示し、この境界条件に関してパラメータｗが緩和される。このパラメータの緩和は、最小出力部出力に関して最適な第１適応係数α１から、最適ではない第２適応係数α２との適当な線形結合によって、出力適応係数α−ｏｕｔに達するようにするために行われる。この出力適応係数は最後に、出力信号４２を発生する重ね合わせのために使用される。
【００３７】
上記の提案により、非定常的な妨害騒音成分の場合、特に強く方向づけられた妨害騒音成分の場合、非定常的な妨害信号の寄与が存在するときに、最後に適用される適応によって、定常的な基本雑音の少ない成分を出力信号４２に変調することができる。これは非定常的な妨害信号のもはや最適でない抑制の代価で行われる。これはしかし甘受することができる。なぜなら、それにもかかわらず、定常的な雑音の低下したコモジュレーションによって、良好なＳＮＲと従って特に有効信号の改善された言語理解性が達成可能であるからである。
【００３８】
本発明を有利な実施の形態によって詳細に図示および説明したが、本発明はこの実施の形態に限定されない。専門家はこれから、本発明の保護範囲を逸脱せずに、他の変形を導き出すことができる。
【符号の説明】
【００３９】
１  使用者
２  補聴器
４  話し相手
６  正面方向
８ｆ  第１指向性信号
８ｒ  第２指向性信号
１０  後ろ方向
１２ａ〜１２ｃ  妨害騒音
２０  方法
２２  音響信号
２４ａ／２４ｂ  第１マイクロホン／第２マイクロホン
２６ａ／２６ｂ  第１マイクロホン信号／第２マイクロホン信号
２８ａ／２８ｂ  第１時間遅延マイクロホン信号／第２時間遅延マイクロホン信号
３０  第１適応ブロック
３２  第２適応ブロック
３４  保持ブロック
３６  保持信号
３８  再続行信号
４０  線形結合
４２  出力信号
α１  第１適応係数
α２  第２適応係数
α−ｏｕｔ  出力部適応係数
Ｔ  時間インターバル
ｔ１  第１応答時間
ｔ２  第２応答時間
【図１】
2018186500.tif 000003
【図２】
2018186500.tif 000004